(57)【要約】　　　（修正有）【課題】この考案は、簡単な構造で、使用時にはハンガー本体の幅を広くして洗濯物を広げることができ、不使用時には薄くして収納することができるハンガーに関する。【解決手段】フック部２と、該フック部を上部に設けたフック受孔４に上下動自在に連結したハンガー本体５とからなり、該ハンガー本体が前後に二分された前半側ハンガー５ａと後半側ハンガー５ｂとを上部でヒンジ部Ｈまたは枢着部を設けて連結したハンガーであって、フック部の下部に、フック受孔の抜止め部３が設けられており、その少なくとも一方の側面が漸次下方に向かって外方へ突出するテーパー状に形成された横倒した略三角柱形状、または略円錐または角錐形状からなっていることを特徴とする。【選択図】　図１
0003098394.tif 000002
【実用新案登録請求の範囲】
【請求項１】
フック部と、該フック部を上部に設けたフック受孔に上下動自在に連結したハンガー本体とからなり、該ハンガー本体が前後に二分された前半側ハンガーと後半側ハンガーとを枠上部の上部でヒンジ部または枢着部を設けて連結したハンガーにおいて、
フック部の下部に、フック受孔の抜止め部が設けられており、該抜止め部の断面が漸次下方に向かって外方へ突出するテーパー状に形成された横倒した略三角柱形状からなり、
前記前半側ハンガーと後半側ハンガーの枠上部の下端間には前記抜止め部の上端を挿入可能な隙間またはガイド部が形成されており、
ハンガー本体に対してフック部が相対的に上がると、抜止め部の傾斜面が上昇し、前半側ハンガーおよび後半側ハンガーの上部の内壁面と接し、該上部の内壁面を押し広げて前半側ハンガーおよび後半側ハンガーを外方へ傾動し、
ハンガー本体に対してフック部が相対的に下がると、抜止め部が前記上部の内壁面を超えて下降しハンガー本体の空間部まで変位し、前半側ハンガーおよび後半側ハンガーを接近方向に復帰させることを特徴とするハンガー。
【請求項２】
フック部と、該フック部を上部に設けたフック受孔に上下動自在に連結したハンガー本体とからなり、該ハンガー本体が前後に二分された前半側ハンガーと後半側ハンガーとを上部でヒンジ部または枢着部を設けて連結したハンガーにおいて、
フック部の下部に、フック受孔の抜止め部が設けられており、該抜止め部の断面が漸次下方に向かって外方へ突出するテーパー状に形成された略円錐形状または略角錐形状からなり、
前記前半側ハンガーと後半側ハンガーの枠上部の下端間には前記抜止め部の上端を挿入可能な隙間またはガイド部が形成されており、
ハンガー本体に対してフック部が相対的に上がると、抜止め部の傾斜面が上昇し、前半側ハンガーおよび後半側ハンガーの上部の内壁面と接し、該上部の内壁面を押し広げて前半側ハンガーおよび後半側ハンガーを外方へ傾動し、
ハンガー本体に対してフック部が相対的に下がると、抜止め部が前記上部の内壁面を超えて下降しハンガー本体の空間部まで変位し、前半側ハンガーおよび後半側ハンガーを接近方向に復帰させることを特徴とするハンガー。
【請求項３】
フック部の胴部が軸状に形成されてフック部受孔内で旋回しうるようになっていることを特徴とする請求項１または２に記載のハンガー。
【請求項４】
抜止め部の上部、または前半側ハンガーおよび後半側ハンガーの上部の下端に、フック部を回して抜止め部を回転させて前半側ハンガーおよび後半側ハンガーの上部の下端に凹凸係合する閉止掛止部を形成してなることを特徴とする請求項１、２または３に記載のいずれかのハンガー。
【考案の詳細な説明】
【０００１】
【産業上の利用分野】
この考案は、洗濯物が乾燥しやすいように洗濯物の内部に隙間を空けて風通をよくしたハンガーに関する。
【０００２】
【従来の技術】
従来のハンガーは、針金を屈曲させて成形したもの、或いは丸棒型の合成樹脂成形品が知られている。
しかし、前者では、ハンガーの厚みが殆どないため厚手のセーターなどの衣類を干した際に、前後が接して風が通らず乾燥が遅れたり、梅雨時の生乾きにより、湿った匂いが残ったりする欠点がある。
また、ハンガーの肩部分の厚みが狭いため、洗濯物の肩部分にハンガーの跡が残ってしまう欠点がある。
そこで、物干ハンガー本体を前後二分割型とし、それぞれの頸部の上端部分をフック受けに対し、ハンガー本体の肩幅方向に水平な軸線周りに回動自在とし、レバーの上又は下の一挙動によって、前記前後二分割型のハンガー本体が前後に開いたり、狭められたりして、洗濯物の乾燥を促進するようにしたものも知られている（特許文献１）。
【０００３】
【特許文献１】
特許第２６１７８９２号（図１参照）
【０００４】
【考案が解決しようとする課題】
上記構成では、前半側ハンガーと後半側ハンガーよりなる一対のハンガー本体の頸部分の上端が、フック受けに回動自在にそれぞれ枢着しており、前記フック受けには、前記枢着部よりも下方の位置にこれと平行な軸線周りに回動するレバーが枢着してあり、前記レバーの枢軸には、前後に二分されたハンガー本体の頸部分の内面に当接するカムが一体に固着しており、前半側ハンガーと後半側ハンガーの間にはレバーで回動するカムをフック受孔に内蔵する必要があり、大型化が避けられないと共に構造が複雑化する欠点があった。
この考案は、上記事情に鑑みて創案されたものであって、その主たる課題は、簡単な構造であり、不使用時には薄くして収納することができるハンガーを提供することにある。
【０００５】
【課題を解決するための手段】
前記の課題を達成するために、請求項１の考案では、
フック部と、該フック部を上部に設けたフック受孔に上下動自在に連結したハンガー本体とからなり、該ハンガー本体が前後に二分された前半側ハンガーと後半側ハンガーとを上部でヒンジ部または枢着部を設けて連結したハンガーにおいて、
フック部の下部に、フック受孔の抜止め部が設けられており、該抜止め部の断面が漸次下方に向かって外方へ突出するテーパー状に形成された横倒した略三角柱形状からなり、
前記前半側ハンガーと後半側ハンガーの枠上部の下端間には前記抜止め部の上端を挿入可能な隙間またはガイド部が形成されており、
ハンガー本体に対してフック部が相対的に上がると、抜止め部の傾斜面が上昇し、前半側ハンガーおよび後半側ハンガーの上部の内壁面と接し、該上部の内壁面を押し広げて前半側ハンガーおよび後半側ハンガーを外方へ傾動し、
ハンガー本体に対してフック部が相対的に下がると、抜止め部が前記上部の内壁面を超えて下降しハンガー本体の空間部まで変位し、前半側ハンガーおよび後半側ハンガーを接近方向に復帰させる、という技術的手段を講じている。
また、請求項２の考案では、前記抜止め部の断面が、略三角柱形状ではなく、漸次下方に向かって外方へ突出するテーパー状に形成された略円錐または角錐形状からなっている、という技術的手段を講じている。
請求項３の考案では、
前記フック部の胴部が軸状に形成されてフック部受孔内で旋回しうるようになっている、という技術的手段を講じている。
また、請求項４の考案では、
前記抜止め部の上部、または前半側ハンガーおよび後半側ハンガーの上部の下端に、フック部を回して抜止め部を回転させて前半側ハンガーおよび後半側ハンガーの上部の下端に凹凸係合する閉止掛止部を形成してなる、という技術的手段を講じている。
【０００６】
【考案の実施の形態】
以下にこの考案のハンガーの好適実施例について図面を参照しながら説明する。
図１から図３および図６（ａ）に示すハンガー１は、フック部２と、該フック部２を連結するフック受孔４を備えたハンガー本体５とからなっている。
フック部２は、偏平なプレート状からなっており、下部に抜止め部３を有している。
【０００７】
ハンガー本体５は、前後に二分された枠体状の前半側ハンガー５ａと後半側ハンガー５ｂとを有し、その枠上部１５ａ、１５ｂの上端には前半側ハンガー５ａと後半側ハンガー５ｂとをヒンジ部Ｈが左右一対に形成されると共に、該ヒンジ部Ｈの間に前記フック部２を通すフック受孔４が形成されている。
【０００８】
ここでヒンジ部Ｈは、前半側ハンガー５ａと後半側ハンガー５ｂの上部を連接した薄肉状の断面略Ｖ字状の溝からなっており、該ヒンジ部Ｈを屈曲支点として前半側ハンガー５ａと後半側ハンガー５ｂとを開閉することができるようになっているので、図２に示すように合成樹脂で一体に成形することもできる。
【０００９】
上記実施例では、溝状のヒンジを用いた例を示したが、この考案ではヒンジＨに代えて前半側ハンガー５ａと後半側ハンガー５ｂの上部を枢軸Ｐで枢着する構造であってもよい（図４参照）。
この場合もその他の構成は前記実施例に準じるので、同様の構成には同一符号を付して説明を省略する。
【００１０】
次ぎに、フック受孔４には、フック部２の胴部２ａが上下に移動可能に貫挿している。
ここでフック部２の胴部２ａは、前記実施例のようにプレート状とすればフック受孔４となる孔も細長い孔でよく一層の薄形化を図れる（図６（ａ）参照）が、図５、図６（ｂ）に示すようにフック受孔４内で旋回しうるように円柱状とすれば、フック部２をハンガー本体５に対して自在に回転することができる。
【００１１】
これらの場合に、前半側ハンガー５ａと後半側ハンガー５ｂを閉じた際にフック部２を通す隙間を設けてもよいが、設けないで接近させてもよい。
この場合には、前半側ハンガー５ａと後半側ハンガー５の上部１５ａ、１５ｂの内壁面にフック受孔４と連通してフック部２の胴部２ａを摺動可能とする溝１２ａを形成しておく必要がある（図４、図６（ｂ）参照）。
【００１２】
このようなフック部２の下部には、外形が上記フック受孔４の孔より大きく形成されて上記孔の抜け止めとなり、その両側面が漸次下方に向かって外方へ突出する傾斜面３ａに形成された断面略三角形状の抜止め部３が設けられている。
従って、抜止め部３は、略三角柱状でもよいし、略円錐形状（図６参照）や四角錐などの略角錐形状であってもよい。
そして、略円錐形状や、四角錐形状などの角錐形状の場合は、フック部２をハンガー本体に対して適宜旋回して洗濯物を広げながら干すことができる。
【００１３】
一方、前記フック受孔４が形成される前半側ハンガー５ａおよび後半側ハンガー５ｂの枠上部１５ａ、１５ｂの内壁面１４ａ、１４ｂは前記抜止め部の傾斜面３ａと衝合する受面となる。
この内壁面１４ａ、１４ｂの下端は、前記抜止め部３の基端側と接した際に、衝合して掛け止められることがないようになっており、抜止め部３の先端が侵入しやすいように隙間Ｓ（図４、図６（ａ）参照）を設け、あるいは密着した内壁面１４ａ、１４ｂの下端を切り欠き、もしくは湾曲させて侵入しやすくするガイド部Ｇ（図６（ｂ）参照）を形成することが好ましい。
【００１４】
上記構成からなっているので、図８（ａ）に示す閉じた位置から、フック部２をハンガー本体５に対して相対的に上がると、図８（ｂ）に示すように、抜止め部３に伴ってその傾斜面３ａが上昇し、前半側ハンガー５ａおよび後半側ハンガー５ｂの上部１５ａ、１５ｂの内壁面１４ａ、１４ｂに挟まれ、該上部の内壁面１４ａ、１４ｂを押し広げて行き、図８（ｃ）に示すように、前半側ハンガー５ａと後半側ハンガー５ｂをヒンジ部Ｈを支点にして下部が離間する方向に開くことができる。
【００１５】
これにより、厚手のセータやその他の衣類などの洗濯物をハンガー１に掛けて、フック部２を物干し竿などに引っかけるだけで、前半側ハンガー５ａと後半側ハンガー５ｂとが開き、洗濯物の内部を広げて空間をつくり、風通しを良くすることができる。
【００１６】
また、フック部２をハンガー本体５に対して相対的に下がると、図８（ａ）に示すように、抜止め部３の下降に伴い傾斜面３ａが下降して前記上部の内壁面１４ａ、１４ｂから外れて離れ、ハンガー本体５の中央の空間部１０に変位するので、抜止め部３は空間部１０に収まり、前半側ハンガー５ａおよび後半側ハンガー５ｂをヒンジ部Ｈを支点にして接近する方向に閉じることができる。
そして、前記上部の内壁面１４ａ、１４ｂは相互に接することができるので、前半側ハンガー５ａおよび後半側ハンガー５ｂを最も薄くなるように折り畳むことができる。
【００１７】
次ぎに、図９に示すハンガー１は、抜止め部３の傾斜面３ａと、前記上部の内壁面１４ａ、１４ｂに上下方向に沿って１または複数段階に掛止めることができるように凹凸を形成した異なる実施例を示す。
即ち、本実施例の場合、抜止め部３の傾斜面３ａの下端に突部１３を設け、上部の内壁面１４ａ、１４ｂに複数（図示例では３つ）の凹部１６ａ、１６ｂ、１６ｃを設けた構成からなっている。
【００１８】
従って、抜止め部３の傾斜面３ａが上部の内壁面１４ａ、１４ｂを摺動しながら上昇する際に、前記突部１３を適宜選択した凹部１６ａ、１６ｂ、１６ｃのいずれかに係止させ、前半側ハンガー５ａと後半側ハンガー５ｂの開く角度を段階的に変化させることができる。
その他の構成は前記実施例と同様であるのでその説明を省略する。
【００１９】
なお、上記実施例では抜止め部３に突部を形成し、上部の内壁面１４ａ、１４ｂに凹部を設けたが、逆に抜止め部３に凹部を複数段に形成し、枠上部の内壁面１４ａ、１４ｂにこれに係合する突部を設ける構成（図示せず）であってもよい。
これによれば、洗濯物の大きさや種類に応じて、好ましい角度に前半側ハンガー５ａと後半側ハンガー５ｂを開くことができる。
【００２０】
次ぎに、図１０および図１１に示すハンガー１は、フック部２の胴部２ａが軸からなってフック受孔４の孔に旋回自在に取り付けられている。
そして、抜止め部３がその左右側面に傾斜面３ａを有する横倒した略三角柱形状をしており、且つ抜止め部３の上部に閉止掛止部８を設けている。
この閉止掛止部８は、フック部２を図１１（ａ）の状態からその軸を中心に９０度回転して変位し、図１１（ｂ）に示すように、前半側ハンガー５ａと後半側ハンガー５ｂの上部の内壁面１４ａ、１４ｂの下端と係合するためのものである。
【００２１】
ここで閉止掛止部８は、閉じた枠上部１５ａ、１５ｂの下端に掛止または係止させるものであり、図示例では掛止め用の凹部であるが、枠上部１５ａ、１５ｂの下部に凹部を形成しておき、閉止掛止部８はこれに係合する突部であってもよい（図示せず）。その他、公知の掛止ないし係止手段を用いることができる。
【００２２】
これにより、フック部２が相対的に引き上げられようとしても抜止め部３が枠上部１５ａ、１５ｂの下端と衝合し掛止められるので、前半側ハンガー５ａと後半側ハンガー５ｂとを閉じた状態に保持することができる。
従って、洗濯物を掛けない場合や、開く必要のない洗濯物を干す場合には、前記のようなハンガー１を閉じた状態の姿勢で、物干し竿に掛けておくことができる。
【００２３】
このようにフック部２をスイッチのように９０度回転させることで、前半側ハンガー５ａと後半側ハンガー５ｂの開閉を制御することができる。
この実施例では閉止掛止部を設けて、閉止状態をロックしたが、単に抜止め部３が上部の内壁面１４ａ、１４ｂの下端に衝合するだけであってもよい。
また、フック部の掛止のための旋回角度も９０度に限定されるものではない。
【００２４】
上記各実施例では、前半側ハンガー５ａと後半側ハンガー５ｂとが下部にズボン掛け用の横架枠９を設けた場合を図示したが、この横架枠は設けなくてもよいこと勿論である。
その他、要するにこの考案の要旨を変更しない範囲で種々設計変更しうること勿論である。
【００２５】
【考案の効果】
以上のようにこの考案によれば、フック部の下部に抜止め部を設ける簡単な構造で、使用時にはハンガー本体を開いて洗濯物の内部に隙間を造って風通しを良くし、洗濯物の乾きを早くすることができ、また生乾きを防いで湿った匂いが生じないようにすることができる。
また、ハンガーの不使用時には薄くしてコンパクトに収納することができる。更に、フックを回転することによりハンガー本体の開閉を制御するようにすることもできる。
【図面の簡単な説明】
【図１】ハンガーの実施例の閉じた状態を示す斜視図である。
【図２】ハンガー本体の展開図である。
【図３】図１のハンガーの開いた状態を示す斜視図である。
【図４】ヒンジに代えて枢着構造を用いた一例を示す要部側面図である。
【図５】フック部の胴部が軸からなってフック部が旋回可能な場合の実施例を示す正面図である。
【図６】（ａ）は図１の実施例の抜止め部と枠上部との関係を示す要部断面図、（ｂ）は図５の実施例の抜止め部と枠上部との関係を示す要部断面図である。
【図７】抜止め部が円錐形状の場合を示すハンガー別の実施例の斜視図である。
【図８】抜止め部の作用を側面から示す図であって、（ａ）は枠上部に接した状態の図、（ｂ）は枠上部の内壁面を開いて摺動している状態の図、（ｃ）は枠上部を傾動させて全開位置で保持した状態の図である。
【図９】枠上部の内壁面に掛止部を設けた別の実施例の抜止め部の作用を側面から示す図であって、（ａ）は１段目に掛け止められた状態の図、（ｂ）は２段目に掛け止められた状態の図、（ｃ）は最上段に掛け止められた状態の図である。
【図１０】抜止め部に閉止掛止部を設けた異なる実施例の正面図である。
【図１１】（ａ）は閉止掛止部が枠上部に掛け止められた状態の正面図、（ｂ）は側面図である。
【符号の説明】
１　　　ハンガー
２　　　フック部
２ａ　　胴部
３　　　抜止め部
３ａ　　傾斜面
４　　　フック受孔
５　　　ハンガー本体
５ａ　　前半側ハンガー
５ｂ　　後半側ハンガー
８　　　閉止掛止部
９　　　横架枠
１０　　　空間部
１３　　　突部
１４ａ、１４ｂ　枠上部の内壁面
１５ａ　　前半側ハンガーの枠上部
１５ｂ　　後半側ハンガーの枠上部
１６ａ〜１６ｃ　凹部
Ｇ　　　ガイド部
Ｈ　　　ヒンジ部
Ｓ　　　隙間
【図１】
0003098394.tif 000003
【図２】
0003098394.tif 000004
【図３】
0003098394.tif 000005
【図４】
0003098394.tif 000006
【図５】
0003098394.tif 000007
【図６】
0003098394.tif 000008
【図７】
0003098394.tif 000009
【図８】
0003098394.tif 000010
【図９】
0003098394.tif 000011
【図１０】
0003098394.tif 000012
【図１１】
0003098394.tif 000013